(57)【要約】【課題】画像投射用光学系及び画像投射装置のさらなる小型化や薄型化を実現する。【解決手段】画像投射用光学系は、照明光学系αと、該照明光学系からの光を複数の色光に分解して光変調素子６３Ｒ，６３Ｇ，６３Ｂに導き、該光変調素子にて変調された複数の色光を合成する色分解合成光学系βａと、該合成された光を投射する投射レンズ２とを有する。該光学系は、光源ランプからの光を照明光学系に向けて反射する第１の反射部材５０と、投射レンズからの光を被投射面に向けて反射する第２の反射部材３とを有する。照明光学系から色分解合成光学系への入射光軸Ｌ１と色分解合成光学系から投射レンズへの射出光軸Ｌ２の延長線Ｌ２′とが互いに離間した位置にて互いに平行に延び、該射出光軸の延長線上に光源ランプが配置される。光源ランプから第１の反射部材への光の入射方向Ｌ３と第２の反射部材から被投射面への光の射出方向Ｌ４とは互いに平行である。【選択図】図１
2010145451.tif 000002
【特許請求の範囲】
【請求項１】
入射した光を画像変調する複数の光変調素子と、
光源ランプからの光を複数の光束に分割し、該複数の光束を前記各光変調素子上で重ね合わせる照明光学系と、
前記照明光学系からの光を複数の色光に分解して該複数の色光を前記複数の光変調素子に導き、該複数の光変調素子にて変調された前記複数の色光を合成する色分解合成光学系と、
該色分解合成光学系にて合成された光を被投射面に投射する投射レンズと、
前記光源ランプからの光を前記照明光学系に向けて反射する第１の反射部材と、
前記投射レンズからの光を前記被投射面に向けて反射する第２の反射部材とを有し、
前記照明光学系から前記色分解合成光学系への入射光軸と前記色分解合成光学系から前記投射レンズへの射出光軸の延長線とが互いに離間した位置にて互いに平行に延び、
前記射出光軸の延長線上に、前記光源ランプの少なくとも一部が配置され、
前記光源ランプから前記第１の反射部材への光の入射方向と前記第２の反射部材から前記被投射面への光の射出方向とが互いに平行であることを特徴とする画像投射用光学系。
【請求項２】
前記光源ランプからの光の射出方向が、前記入射光軸に対して直交する方向であることを特徴とする請求項１に記載の画像投射用光学系。
【請求項３】
前記光源ランプを冷却するファンが、該ファンの回転軸が前記入射光軸と前記射出光軸に対して平行となるように配置されていることを特徴とする請求項２に記載の画像投射用光学系。
【請求項４】
請求項１から３のいずれか１つに記載の画像投射用光学系と、
該画像投射用光学系を収容する筐体とを有することを特徴とする画像投射装置。
【請求項５】
前記筐体の内部における前記光源ランプと前記第２の反射部材との間に、電源ユニットが前記入射光軸と前記射出光軸に対して平行に、かつ該筐体と前記色分解合成光学系および前記投射レンズのうち少なくとも一方に沿うように配置されていることを特徴とする請求項４に記載の画像投射装置。
【請求項６】
前記筐体が、前記入射光軸と前記射出光軸の方向を長手方向とする四角柱形状を有することを特徴とする請求項４又は５に記載の画像投射装置。
【発明の詳細な説明】
【技術分野】
【０００１】
本発明は、液晶プロジェクタ等の画像投射装置に用いられる光学系に関する。
【背景技術】
【０００２】
画像投射装置の光学系として、該装置の幅方向と奥行き方向でのアスペクト比が概ね１対１になるように構成された小型の光学系が従来提案されている（特許文献１，２参照）。また、装置の長手方向に対して直交する断面内でのサイズを小型化した上で、色分解合成光学系からの射出光軸に直交する方向に投射レンズを配置し、該射出光軸に平行な方向に光源ランプを配置した光学系も知られている（特許文献３参照）。
【特許文献１】特開２００７−４７７９９号公報
【特許文献２】特開２００５−２２１９８０号公報
【特許文献３】特開２００３−２０７７４０号公報
【発明の開示】
【発明が解決しようとする課題】
【０００３】
画像投射装置においては、特許文献１〜３にて開示された光学系を用いた画像投射装置に比べて、さらに小型化や薄型化が求められている。特に、投射レンズの光軸が概ね水平方向に延びるように横置きして使用するだけでなく、光源ランプ側を下に、投射レンズ側を上にした縦置き使用も可能とすることが求められている。
【０００４】
そこで、本発明は、従来よりもさらに小型化や薄型化を容易に図ることできるようにした画像投射用光学系及びこれを備えた画像投射装置を提供する。
【課題を解決するための手段】
【０００５】
本発明の一側面である画像投射用光学系は、入射した光を画像変調する複数の光変調素子と、光源ランプからの光を複数の光束に分割し、該複数の光束を各光変調素子上で重ね合わせる照明光学系と、照明光学系からの光を複数の色光に分解して該複数の色光を複数の光変調素子に導き、該複数の光変調素子にて変調された複数の色光を合成する色分解合成光学系と、該色分解合成光学系にて合成された光を被投射面に投射する投射レンズとを有する。さらに、該光学系は、光源ランプからの光を照明光学系に向けて反射する第１の反射部材と、投射レンズからの光を被投射面に向けて反射する第２の反射部材とを有する。そして、照明光学系から色分解合成光学系への入射光軸と色分解合成光学系から投射レンズへの射出光軸の延長線とが互いに離間した位置にて互いに平行に延び、上記射出光軸の延長線上に、光源ランプの少なくとも一部が配置され、さらに、光源ランプから第１の反射部材への光の入射方向と第２の反射部材から被投射面への光の射出方向とが互いに平行であることを特徴とする。
【発明の効果】
【０００６】
本発明によれば、照明光学系から色分解合成光学系への入射光軸と色分解合成光学系から投射レンズへの射出光軸の方向（長手方向）に直交する断面において小型化された画像投射用光学系を実現することができる。そして、これを収容する筐体を含めた画像投射装置全体を、上記長手方向に細長い形状（例えば、四角柱形状）に形成することが可能となる。
【発明を実施するための最良の形態】
【０００７】
以下、本発明の実施例について図面を参照しながら説明する。
【実施例１】
【０００８】
図１には、本発明の実施例１である画像投射用光学系を用いた画像投射装置１００の構成を示している。
【０００９】
光源ランプ１から射出した光は、第１のミラー（第１の反射部材）５０で反射されて照明光学系αに向かう。照明光学系αを通過した光は、色分解合成光学系βａ及び図１では図示が省略されている液晶パネル（光変調素子）を経由して投射レンズ２から射出する。投射レンズ２から射出した光は、第２のミラー（第２の反射部材）３によって反射されて不図示のスクリーンや壁面等の被投射面に投射される。
【００１０】
なお、第１及び第２の反射部材としては、プリズム等のミラー以外の部材を用いることもできる。
【００１１】
ここで、本実施例の画像投射用光学系では、
（１）照明光学系αから色分解合成光学系βａへの入射光軸Ｌ１と色分解合成光学系βａから投射レンズ２への射出光軸Ｌ２の延長線Ｌ２′とが、互いに所定距離Ｄだけ離間した位置にて互いに平行に延びている。このことは、入射光軸Ｌ１と射出光軸Ｌ２とが互いに所定距離Ｄだけ離間した位置にて互いに平行に延びていると言い換えてもよい。
【００１２】
（２）また、上記射出光軸Ｌ２の延長線上（Ｌ２′上）に、光源ランプ１の少なくとも一部が配置されている。
【００１３】
（３）さらに、光源ランプ１から第１のミラー５０への光の入射方向（言い換えれば、入射光軸Ｌ３）と第２のミラー３から被投射面への光の射出方向（言い換えれば、射出光軸Ｌ４）とは互いに平行である。
【００１４】
なお、本実施例では、光源ランプ１から第１のミラー５０への光の入射方向と第２のミラー３から被投射面への光の射出方向は、互いに反対方向である。
【００１５】
上記（１）〜（３）にて説明した配置条件を満足することで、画像投射用光学系を、入射光軸Ｌ１と射出光軸Ｌ２の方向に長く、該方向に対して直交する断面でのサイズが小さい細長い形状にまとめる、つまりは小型化と薄型化を図ることができる。したがって、該画像投射用光学系を、入射光軸Ｌ１と射出光軸Ｌ２の方向を長手方向とする細長い四角柱形状の筐体１００の内部に収容することができる。
【００１６】
また、本実施例では、光源ランプ１からの光の射出方向（入射光軸Ｌ３）は、照明光学系αから色分解合成光学系βａへの入射光軸Ｌ１に対して直交する方向である。これにより、画像投射用光学系の長手方向でのサイズも小さくすることができる。
【００１７】
しかも、本実施例では、主として光源ランプ１を冷却するために設けられた排気ファン６を、該排気ファン６の回転軸が入射光軸Ｌ１と射出光軸Ｌ２に対して平行となるように配置している。言い換えれば、排気ファン６は、その回転軸が延びる方向が光源ランプ１からの光の射出方向（入射光軸Ｌ３）に対して直交するように配置されている。排気ファン６からの空気の排出口７は、筐体１００の長手方向の端面に設けられており、光源ランプ１を冷却した空気は筐体１００の長手方向に排出される。なお、排気ファン６が、光源ランプ１と同様に、その少なくとも一部が射出光軸Ｌ２の延長線Ｌ２′上に配置されているとも言える。
【００１８】
このようなファン７の配置により、筐体１００（つまりは画像投射装置）の長手方向での小型化も実現しつつ、光源ランプ１の冷却を効率良く行うことができる。
【００１９】
本実施例にいう「平行」や「直交」は、完全な平行や直交である必要はなく、概ね平行又は直交するとみなせる範囲で多少のずれを有する場合（例えば、１０度程度のずれを有する場合）を含む。
【００２０】
また、本実施例において、「入射光軸」や「射出光軸」は、光源ランプ１から射出した光のうち、液晶パネルの画像表示面の中心を通り、被投射面上に投射された投射画像の中心に至る光線（中心画角主光線）が辿る光路に相当する。
【００２１】
さらに、第２のミラー３の角度を変えて、被投射面への光の射出方向を調節できるようにしてもよい。この場合も、光源ランプ１から第１のミラー５０への光の入射方向と第２のミラー３から被投射面への光の射出方向とが平行となる第２のミラー３の角度を選択可能であれば、上述した（３）の配置条件を満たす。
【００２２】
４は光源ランプ１に点灯電源を供給する第１の電源ユニットであり、５は光源ランプ１以外の電気部品又は電気回路に電源を供給する第２の電源ユニットである。これら電源ユニット４，５は、筐体１００の内部における光源ランプ１と第２のミラー３との間に、入射光軸Ｌ１と射出光軸Ｌ２に対して平行になるように配置されている。さらに言えば、電源ユニット４，５は、筐体１００における長手方向に延びる面（側面）と色分解合成光学系βａ及び投射レンズ２との間の空間に、該側面と色分解合成光学系βａ及び投射レンズ２のうち少なくとも一方に沿うように（近接して）配置されている。
【００２３】
このような配置により、上記画像投射用光学系と電源ユニット４，５を収容した筐体１００の長手方向に直交する断面のサイズを小さくすることができる。もちろん、電源ユニット４，５以外の電気回路基板（図示せず）についても、同様に配置してもよい。
【００２４】
次に、画像投射用光学系のより具体的な構成と光学作用を示す。光源ランプ１は、超高圧水銀ランプ等の高輝度光源であり、白色光を発する発光管と、該発光管からの発散光を所定の方向に集光するリフレクタとを有する。
【００２５】
図２には、照明光学系αの構成を示す。光源ランプ１からの光は、第１のミラー５０によって反射されて照明光学系αに入射する。
【００２６】
照明光学系αにおいて、５１ａは図２の紙面に平行な方向（図１の紙面に垂直な方向：以下、水平方向という）において屈折力を有する複数のシリンドリカルレンズを有する第１のシリンダアレイである。５１ｂは第１のシリンダアレイ５１ａの複数のシリンドリカルレンズに対応した複数のシリンドリカルレンズを有する第２のシリンダアレイである。５２は紫外線吸収フィルタである。５３は光源ランプ１からの無偏光光を所定の偏光方向を有する直線偏光に変換する（Ｐ偏光をＳ偏光に変換する）偏光変換素子である。
【００２７】
５４は図２の紙面に垂直な方向（図１の紙面に平行な方向：以下、垂直方向という）において屈折力を有するシリンドリカルレンズにより構成されたフロントコンプレッサである。５１ｃは垂直方向において屈折力を有する複数のシリンドリカルレンズを有する第３のシリンダアレイである。５１ｄは第３のシリンダアレイ５１ｃの複数のシリンドリカルレンズに対応した複数のシリンドリカルレンズを有する第４のシリンダアレイである。
【００２８】
５５は色座標を調整するために特定波長域の光を光源ランプ１に戻すように作用するカラーフィルタである。５６はコンデンサレンズである。５７は垂直方向において屈折力を有するシリンドリカルレンズで構成されたリアコンプレッサである。
【００２９】
このように構成された照明光学系αは、光源ランプ１から光を複数の光束に分割し、該複数の光束を後述する各液晶パネル上（各光変調素子上）で重ね合わせ、各液晶パネルを均一に照明する機能を有する。
【００３０】
図３には、色分解合成光学系βａの構成を示す。色分解合成光学系βａにおいて、６０は青（Ｂ）と赤（Ｒ）の波長領域の光を反射し、緑（Ｇ）の波長領域の光を透過するダイクロイックミラーである。６１は透明基板に偏光素子を貼り付けて構成されたＧ用の入射側偏光板であり、Ｐ偏光のみを透過する。６２はＰ偏光を透過し、Ｓ偏光を反射する第１の偏光ビームスプリッタであり、偏光分離面を有する。
【００３１】
６３Ｒ，６３Ｇ，６３Ｂはそれぞれ、入射した光を画像変調するとともに反射する光変調素子としてのＲ用の反射型液晶パネル、Ｇ用の反射型液晶パネル及びＢ用の反射型液晶パネル（以下、単に液晶パネルという）であり、画像変調用の原画を表示する。６４Ｒ，６４Ｇ，６４Ｂはそれぞれ、赤用の１／４波長板、緑用の１／４波長板及び青用の１／４波長板である。６５ａはＲの色純度を高めるためにオレンジ光を光源ランプ１に戻すように作用するトリミングフィルタである。
【００３２】
６５ｂは透明基板に偏光素子を貼り付けて構成されたＲＢ用の入射側偏光板であり、Ｐ偏光のみを透過する。６６はＲ光の偏光方向を９０度変換し、Ｂ光の偏光方向は変換しない色選択性位相差板である。６７はＰ偏光を透過し、Ｓ偏光を反射する第２の偏光ビームスプリッタであり、偏光分離面を有する。
【００３３】
６８ＢはＢ用の射出側偏光板であり、Ｂ光のうちＳ偏光のみを整流する。６８ＧはＳ偏光のみを透過させるＧ用の射出側偏光板である。６９はＲ光とＢ光を透過して、Ｇ光を反射するダイクロイックプリズムである。
【００３４】
このように構成された色分解合成光学系βａは、照明光学系αからの光を複数の色光（Ｒ光、Ｇ光及びＢ光）に分解して該複数の色光を複数の液晶パネル６３Ｒ，６３Ｇ，６３Ｂに導く。さらに、該複数の液晶パネル６３Ｒ，６３Ｇ，６３Ｂにて画像変調された複数の色光を合成して、投射レンズ２に導く。
【００３５】
なお、偏光変換素子５３がＰ偏光をＳ偏光に変換すると述べたが、ここにいうＰ偏光とＳ偏光は偏光変換素子５３を基準としたものである。一方、ダイクロイックミラー６０に入射する光は第１及び第２の偏光ビームスプリッタ６２，６７を基準とし、Ｐ偏光が入射するものとする。すなわち、偏光変換素子５３から射出される光はＳ偏光であるが、同じＳ偏光をダイクロイックミラー６０に入射する光としてはＰ偏光という。
【００３６】
次に、光学作用について説明する。光源ランプ１の発光管から発した光はリフレクタにより所定の方向に集光されて平行光束となる。該平行光束は、第１のミラー５０によってほぼ９０度反射されて第１のシリンダアレイ５１ａに入射する。第１のシリンダアレイ５１ａに入射した光束は、複数のシリンドリカルレンズによって複数の光束に分割され、集光される。該複数の光束は、紫外線吸収フィルタ５２及び第２のシリンダアレイ５１ｂを経て、偏光変換素子５３の近傍に複数の光源像を形成する。
【００３７】
偏光変換素子５３は、それぞれ複数の偏光分離面と反射面と１／２波長板とを有し、上記複数の光束は、その列に対応した偏光分離面に入射して、該偏光分離面を透過するＰ偏光と該偏光分離面で反射されるＳ偏光とに分離される。偏光分離面で反射されたＳ偏光は反射面で反射して、Ｐ偏光と同じ方向に射出する。一方、偏光分離面を透過したＰ偏光は、１／２波長板によってＳ偏光に変換されて射出する。これにより、光源ランプ１からの無偏光光がＳ偏光である直線偏光として射出される。
【００３８】
偏光変換素子５３からの複数の光束は、フロントコンプレッサ５４を介して第３のシリンダアレイ５１ｃに入射する。第３のシリンダアレイ５１ｃに入射した各光束は、第３のシリンダアレイ５１ｃの複数のシリンドリカルレンズによって複数の光束に分割されて集光され、該複数の光束は第４のシリンダアレイ５１ｄを通過する。こうして水平方向及び垂直方向に分割された複数の光束は、コンデンサレンズ５６及びリアコンプレッサ５７に至る。
【００３９】
フロントコンプレッサ５４、コンデンサレンズ５６及びリアコンプレッサ５７の光学作用により、複数の光束は互いに重ね合わせられる。これにより、強度が均一な矩形の照明エリアが形成される。この照明エリアには、各液晶パネルが配置される。
【００４０】
偏光変換素子５３によりＳ偏光とされた光は、ダイクロイックミラー６０に入射する。ダイクロイックミラー６０は、前述したように、Ｂの波長領域（４３０〜４９５ｎｍ）の光とＲの波長領域（５９０〜６５０ｎｍ）の光を反射し、Ｇの波長領域（５０５〜５８０ｎｍ）の光を透過する。
【００４１】
まず、Ｇの光路について説明する。ダイクロイックミラー６０を透過したＧ光は、入射側偏光板６１に入射する。Ｇ光は、ダイクロイックミラー６０によって透過した後もＰ偏光（偏光変換素子５３を基準とする場合はＳ偏光）となっている。
【００４２】
Ｇ光は、入射側偏光板６１から射出した後、第１の偏光ビームスプリッタ６２に対してＰ偏光として入射し、その偏光分離面を透過してＧ用の液晶パネル６３Ｇに至る。Ｇ用の液晶パネル６３Ｇにおいて、Ｇ光が画像変調されて反射される。画像変調されたＧ光のうちＰ偏光は、再び第１の偏光ビームスプリッタ６２の偏光分離面を透過して光源ランプ側に戻され、投射光から除去される。一方、画像変調されたＧ光のうちＳ偏光は、第１の偏光ビームスプリッタ６２の偏光分離面で反射され、投射光としてダイクロイックプリズム６９に向かう。
【００４３】
第１の偏光ビームスプリッタ６２で反射されたＧ光は、ダイクロイックプリズム６９に対してＳ偏光として入射し、ダイクロイックプリズム６９のダイクロイック面で反射されて投射レンズ２に至る。
【００４４】
一方、ダイクロイックミラー６０で反射されたＲ光とＢ光は、トリミングフィルタ６５ａでオレンジ光をカットされた後、入射側偏光板６５ｂに入射する。Ｒ光とＢ光は、ダイクロイックミラー６０によって反射された後もＰ偏光となっている。入射側偏光板６５ｂから射出したＲ光とＢ光は、色選択性位相差板６６に入射する。
【００４５】
色選択性位相差板６６は、Ｒ光の偏光方向のみを９０度回転させる作用を有する。これにより。Ｒ光はＳ偏光として、Ｂ光はＰ偏光として射出し、第２の偏光ビームスプリッタ６７に入射する。Ｓ偏光として第２の偏光ビームスプリッタ６７に入射したＲ光は、第２の偏光ビームスプリッタ６７の偏光分離面で反射され、Ｒ用の液晶パネル６３Ｒに至る。また、Ｐ偏光として第２の偏光ビームスプリッタ６７に入射したＢ光は、第２の偏光ビームスプリッタ６７の偏光分離面を透過してＢ用の液晶パネル６３Ｂに至る。
【００４６】
Ｒ用の液晶パネル６３Ｒに入射したＲ光は、画像変調されて反射される。画像変調されたＲ光のうちＳ偏光は、再び第２の偏光ビームスプリッタ６７の偏光分離面で反射されて光源ランプ側に戻され、投射光から除去される。一方、画像変調されたＲ光のうちＰ偏光は第２の偏光ビームスプリッタ６７の偏光分離面を透過して、投射光としてダイクロイックプリズム６９のダイクロイック面を透過して投射レンズ２に至る。
【００４７】
また、Ｂ用の液晶パネル６３Ｂに入射したＢ光は画像変調されて反射される。画像変調されたＢ光のうちＰ偏光は、再び第２の偏光ビームスプリッタ６７の偏光分離面を透過して光源ランプ側に戻され、投射光から除去される。一方、画像変調されたＢ光のうちＳ偏光は第２の偏光ビームスプリッタ６７の偏光分離面で反射して、出射側偏光板６８Ｂで検光された後、投射光としてダイクロイックプリズム６９のダイクロイック面を透過して投射レンズ２に至る。
【００４８】
こうしてダイクロイックプリズム６９により合成されたＲ光、Ｇ光及びＢ光は、投射レンズ２から射出した後、第２のミラー３によって反射されて被投射面に拡大投射される。
【００４９】
なお、図１は、画像投射装置１００をその長手方向が上下に延びる（第２のミラー３が上側に、光源ランプ１が下側に配置される）縦置き状態で使用される様子を示している。この場合、図示はしないが、排気ファン６からの排気をスムーズに行わせるためのラック等の設置台を使用したり、排気ファン６からの排気を側方に導くダクトを設けたりするとよい。
【００５０】
図４には、図１に示す画像投射装置１００がその長手方向が左右に延びる横置き状態で使用される様子を示す。
【００５１】
このように、本実施例によれば、縦置き状態でも横置き状態でも使用できる小型の画像投射装置を実現することができる。
【００５２】
また、図５には、図１の画像投射装置の変形例を示す。この変形例では、第２のミラー２０３を図１に示した第２のミラー３に対して反対方向に光を反射するように配置している。この場合も、前述した（１）〜（３）の配置条件を満足する。
【００５３】
さらに、図１に示した光源ランプ１の位置及び向きを図８及び図９に示すように変更してもよい。図１では、第１のミラー５０の方向を向いた光源ランプ１からの光が直接第１のミラー５０に入射する場合について説明したが、図８及び図９では、光源ランプ１からの光は、第３のミラー５１で反射された後に第１のミラー５０で反射されて照明光学系αに入射する。光源ランプ１からの光の射出方向は、入射光軸Ｌ１及び射出光軸Ｌ２（Ｌ２′）に平行である。これらの図に示す構成でも、上述した（１）〜（３）の配置条件を満たす。
【実施例２】
【００５４】
図６には、本発明の実施例２である画像投射用光学系を用いた画像投射装置の構成を示す。実施例１では、反射型液晶パネルを用いた画像投射装置について説明したが、本実施例では、透過型液晶パネルを用いる。このため、色分解合成光学系βｂの構成が実施例１の色分解合成光学系βａとは異なる。色分解合成光学系βｂ以外の構成要素は、実施例１と同様であるので、これらの構成要素には実施例１と同符号を付してその説明に代える。
【００５５】
図７を用いて、本実施例における色分解合成光学系βｂの構成を説明する。照明光学系αにより分割された複数の光束は、第１ダイクロイックミラー３６０に入射し、該第１ダイクロイックミラー３６０で反射されるＲ光及びＧ光を含む光と、第１ダイクロイックミラー３６０を透過するＢ光とに分解される。Ｇ光及びＲ光を含む光は、第２ダイクロイックミラー３７０にて、ここで反射されるＧ光とこれを透過するＲ光とに分割される。
【００５６】
Ｒ光は、２枚のミラー３７１で反射され、さらにフィールドレンズ３７３Ｒを透過してＲ用の透過型液晶パネル（光変調素子：以下、単に液晶パネルという）３６３Ｒを照明する。Ｒ用液晶パネル３６３Ｒで画像変調されたＲ光は、色合成プリズム３７４で反射されて投射レンズ２に入射する。
【００５７】
また、Ｇ光は、フィールドレンズ３７３Ｇを透過してＧ用の透過型液晶パネル３６３Ｇを照明する。Ｇ用の液晶パネル３６３Ｇで画像変調されたＧ光は、色合成プリズム３７４を透過して投射レンズ２に入射する。
【００５８】
Ｂ光は、ミラー３７２で反射され、フィールドレンズ３７３Ｂを透過してＢ用の透過型液晶パネル３６３Ｂを照明する。Ｂ用の液晶パネル３６３Ｂで画像変調されたＢ光は、色合成プリズム３７４で反射されて投射レンズ２に入射する。
【００５９】
こうして色合成プリズム３７４で合成された、３つの液晶パネル３６３Ｒ，３６３Ｇ，３６３Ｂからの光は、投射レンズ２から射出した後、第２のミラー３により反射されて被投射面に拡大投射される。
【００６０】
本実施例でも、実施例１で説明した（１）〜（３）の配置条件を満たす。これにより、画像投射用光学系を、入射光軸Ｌ１と射出光軸Ｌ２の方向に長く、該方向に対して直交する断面でのサイズが小さい細長い形状にまとめることができる。
【００６１】
ただし、本実施例では、色分解合成光学系βｂの上記断面でのサイズが実施例１の色分解合成光学系βａよりも大きくなる。このため、第１及び第２の電源ユニット４，５をそれぞれ、光源ランプ１と第２のミラー３との間のうち光源ランプ１と色分解合成光学系βｂとの間及び色分解合成光学系βｂと第２のミラー３との間に分けて配置する。これにより、筐体３００の長手方向に直交する断面のサイズを色分解合成光学系βｂに比べてあまり大きくすること必要がない。したがって、本実施例でも、筐体３００を長手方向に細長い四角柱形状に形成することができる。
【００６２】
以上説明した各実施例は代表的な例にすぎず、本発明の実施に際しては、各実施例に対して種々の変形や変更が可能である。
【００６３】
例えば、上記各実施例では、光変調素子として、反射型及び透過型の液晶パネルを用いた場合について説明したが、これらに代えて、デジタルマイクロミラーデバイス（ＤＭＤ）を用いてもよい。
【図面の簡単な説明】
【００６４】
【図１】本発明の実施例１である画像投射用光学系を用いた画像投射装置の構成を示す図。
【図２】実施例１の画像投射用光学系のうち照明光学系の構成を示す図。
【図３】実施例１の画像投射用光学系のうち色分解合成光学系の構成を示す図。
【図４】実施例１の画像投射装置を横置きした状態を示す図。
【図５】実施例１の変形例を示す図。
【図６】本発明の実施例２である画像投射用光学系を用いた画像投射装置の構成を示す図。
【図７】実施例２の画像投射用光学系のうち色分解合成光学系の構成を示す図。
【図８】実施例１の他の変形例を示す図。
【図９】実施例１のさらに別の変形例を示す図。
【符号の説明】
【００６５】
１  光源ランプ
２  投射レンズ
３  第２のミラー
５０  第１のミラー
４  第１の電源ユニット
５  第２の電源ユニット
６  排気ファン
７  排気口
５３  偏光変換素子
６３Ｒ，６３Ｇ，６３Ｂ  反射型液晶パネル
１００，３００  筐体
３６３Ｒ，３６３Ｇ，３６３Ｂ  透過型液晶パネル
Ｌ１  入射光軸
Ｌ２  射出光軸
【図１】
2010145451.tif 000003
【図２】
2010145451.tif 000004
【図３】
2010145451.tif 000005
【図４】
2010145451.tif 000006
【図５】
2010145451.tif 000007
【図６】
2010145451.tif 000008
【図７】
2010145451.tif 000009
【図８】
2010145451.tif 000010
【図９】
2010145451.tif 000011